(57)【要約】【課題】本発明は、アパートなどの高層ビルの室内に設置されて、火災発生時に外部に脱出していない人が安全に避難することができる空間を提供する火災避難室に関する。【解決手段】本発明は、建物の室内や地下室などに自由に設置して、火災発生時に建物の外部に避難していなかった人々が安全に避難できるようにする一方で、避難空間へ入ってくる空気量と避難空間から出る空気量を適切に制御して、避難空間内に常に一定の差圧が造成されるようにすることで、落下物などによる毀損により避難空間の内部にリーク（Ｌｅａｋ）が発生した場合でも、これを補償することができ、したがって呼吸用空気不足を完全に排除することができる火災避難室を提供する。【選択図】図１
2021507802.tif 000002
【特許請求の範囲】
【請求項１】
前方の出入口と内部の避難空間を有して、建物の室内に設置される避難室本体１０及び前記避難室本体１０の出入口に設置される開閉可能なドア１１と、
前記避難室本体１０の天井部の裏側に接続されて避難空間へ入ってくる空気を誘導する空気流入管１２と、
前記避難室本体１０の天井部の前方に接続されて避難空間から出る空気を誘導する空気排出管１３と、
前記避難室本体１０の内部の裏側の壁に出入口を見て設置されてドア１１の開閉作動に連系してＯＮ／ＯＦＦ作動されて、ドアの開き時に外部の煙や熱気が避難空間へ入ってくることを遮断する空気強制排出用ファン１４と、
前記避難室本体１０の内部の天井部に設置されるランプ１５と、
前記避難室本体１０の内部に設置されて自体的に電源を提供するとともに、電気機器を制御するコントロールボックス１６と、を含むことを特徴とする火災避難室。
【請求項２】
前記空気流入管１２の直径は、空気排出管１３の直径に比べ相対的に大きい直径を有し、避難空間の外部へ出る空気量より避難空間の内部へ入ってくる空気量をさらに確保することができるようにすることで、避難空間の内部に常に一定の差圧が造成されるようにしたことを特徴とする請求項１に記載の火災避難室。
【請求項３】
前記避難室本体１０の上下及び左右の壁と裏側の壁、そして前記ドア１１の板体は、互いに空間を造成する内部パネル１７と外部パネル１８の二重のパネル構造からなり、前記各内部パネル１７にはケブラー繊維で製織した防彈板１９が付着されることを特徴とする請求項１に記載の火災避難室。
【請求項４】
前記避難室本体１０の底面には、移動及び固定のための手段として前後及び左右の４つの車輪２０及びストッパー２１が設置されることを特徴とする請求項１に記載の火災避難室。
【請求項５】
前記避難室本体１０の内部の裏側の壁には空気流入及び排出設備の異常時に避難空間の内部の空気を冷却させてくれるエアコン２２が設置されることを特徴とする請求項１に記載の火災避難室。
【請求項６】
前記避難室本体１０は、高層ビルの各フロアに設置され、各フロアに設置される各避難室本体１０の空気流入管１２は、建物の除煙設備側の配管または建物内の別の送風装置側の配管に接続されて、それぞれの避難室本体１０への空気の供給は建物の内部領域で一括して運用することができることを特徴とする請求項１に記載の火災避難室。
【請求項７】
前記避難室本体１０の各壁との間の連接部位には、「己」字型の断面形状を有する帯状の部材からなるとともに、断面の溝内に挿入されるシリカロープ３０を有して壁との間の連接部位を介した熱伝導率を最小限に抑えてくれる壁遮熱部材２９が挿入されて設置されることを特徴とする請求項１に記載の火災避難室。
【請求項８】
前記ドア１１は、ドアの４辺の縁に沿って設置され、ドア１１を介した熱伝導率を最小限に抑えてくれる９段の曲げ型断面を有するドア遮熱部材３１を含むことを特徴とする請求項１に記載の火災避難室。
【請求項９】
前方の出入口と内部の避難空間を有して、建物の室内に設置される避難室本体１０及び前記避難室本体１０の出入口に設置される開閉可能なドア１１と、
前記避難室本体１０の天井部の裏側に接続されて避難空間へ入ってくる空気を誘導する空気流入管１２と、
前記避難室本体１０の天井部の前方に接続されて避難空間から出る空気を誘導する空気排出管１３と、
前記避難室本体１０の内部の裏側の壁に出入口を見て設置されて、ドア１１の開閉作動に連系してＯＮ／ＯＦＦ作動されて、ドアの開き時に外部の煙や熱気が避難空間に入ってくることを遮断する空気強制排出用ファン１４と、
前記避難室本体１０の内部に設置されて自体的に電源を提供するとともに、電気機器を制御するコントロールボックス１６と、
前記空気流入管１２の一側から分岐されたサブ空気流入管３２と、前記空気流入管１２とサブ空気流入管３２にそれぞれ設置される第１のソレノイドバルブ３３及び第２のソレノイドバルブ３４と、前記サブ空気流入管３２の上に設置されて空気中の有毒ガスを浄化するフィルタ装置３５と、前記サブ空気流入管３２に接続されて空気の提供を受けるとともに酸素を発生させる酸素発生器３６で構成されて、空気流入管１２側に設置されるセンサー３７の信号の入力を受けるコントロールボックス１６の出力制御により、第１のソレノイドバルブ３３がＯＦＦ作動されると同時に、第２のソレノイドバルブ３４がＯＮ作動され、これに加え、酸素発生器３６が作動され、酸素発生器３６から提供される酸素を避難室本体１０の内部に供給することができる呼吸用空気供給装置３８ａと、を含むことを特徴とする火災避難室。
【請求項１０】
前記サブ空気流入管３２、第２のソレノイドバルブ３４、フィルタ装置３５及び酸素発生器３６は、避難室本体１０の壁の内部に造成される空間部３９に設置されることをを特徴とする請求項９に記載の火災避難室。
【請求項１１】
前記空気流入管１２の直径は空気排出管１３の直径に比べ相対的に大きい直径を有し、避難空間の外部へ出る空気量より避難空間の内部へ入ってくる空気量をさらに確保することができることにより、避難空間の内部に常に一定の差圧が造成されることを特徴とする請求項９に記載の火災避難室。
【請求項１２】
前記避難室本体１０の上下及び左右の壁と裏側の壁、そして前記ドア１１の板体は、互いに空間を造成する内部パネル１７と外部パネル１８の二重のパネル構造からなり、前記各内部パネル１７には、ケブラー繊維で製織した防彈板１９が付着されることを特徴とする請求項９に記載の火災避難室。
【請求項１３】
前記避難室本体１０の内部の裏側の壁には空気流入及び排出設備の異常時に避難空間内の空気を冷却させてくれるエアコン２２が設置されることを特徴とする請求項９に記載の火災避難室。
【請求項１４】
前記避難室本体１０は、高層ビルの各フロアに設置され、各フロアに設置される各避難室本体１０の空気流入管１２は、建物の除煙設備側の配管または建物内の別の送風装置側の配管に接続されて、それぞれの避難室本体１０への空気の供給は建物の内部領域で一括して運用することができることを特徴とする請求項９に記載の火災避難室。
【請求項１５】
前記避難室本体１０の各壁との間の連接部位には、「己」字型の断面形状を有する帯状の部材からなるとともに、断面の溝内に挿入されるシリカロープ３０を有して壁との間の連接部位を介した熱伝導率を最小限に抑えてくれる壁遮熱部材２９が挿入されて設置されることを特徴とする請求項９に記載の火災避難室。
【請求項１６】
前記ドア１１は、ドアの４辺の縁に沿って設置され、ドア１１を介した熱伝導率を最小限に抑えてくれる９段の曲げ型断面形状を有するドア遮熱部材３１を含むことを特徴とする請求項９に記載の火災避難室。
【請求項１７】
前方の出入口と内部の避難空間を有して、建物の室内に設置される避難室本体１０及び前記避難室本体１０の出入口に設置される開閉可能なドア１１と、
前記避難室本体１０の天井部の裏側に接続されて避難空間へ入ってくる空気を誘導する空気流入管１２と、
前記避難室本体１０の天井部の前方に接続されて避難空間から出る空気を誘導する空気排出管１３と、
前記避難室本体１０の内部の裏側の壁に出入口を見て設置されて、ドア１１の開閉作動に連系してＯＮ／ＯＦＦ作動されて、ドアの開き時に外部の煙や熱気が避難空間へ入ってくることを遮断する空気強制排出用ファン１４と、
前記避難室本体１０の内部に設置されて自体的に電源を提供するとともに、電気機器を制御するコントロールボックス１６と、
前記空気流入管１２に設置される第１のソレノイドバルブ３３と、前記避難室本体１０の底体の内部空間に設置される空気貯蔵タンク４０と、前記空気貯蔵タンク４０の吐出口に設置されるポンプ４１及び第３のソレノイドバルブ４２で構成されて、空気流入管１２側に設置されるセンサー３７の信号の入力を受けるコントロールボックス１６の出力制御により、第１のソレノイドバルブ３３がＯＦＦ作動されると同時に、第３のソレノイドバルブ４２がＯＮ作動され、これに加え、ポンプ４１が作動され、空気貯蔵タンク４０に満たされている空気を避難室本体１０の内部に供給できる呼吸用空気供給装置３８ｂと、を含むことを特徴とする火災避難室。
【請求項１８】
前記空気流入管１２の直径は、空気排出管１３の直径に比べ相対的に大きい直径を有して、避難空間の外部へ出る空気量より避難空間の内部へ入ってくる空気量をさらに確保することにより、避難空間の内部に常に一定の差圧が造成されることを特徴とする請求項１７に記載の火災避難室。
【請求項１９】
前記避難室本体１０の上下及び左右の壁と裏側の壁、そして前記ドア１１の板体は、互いに空間を造成する内部パネル１７と外部パネル１８の二重のパネル構造からなり、前記各内部パネル１７には、ケブラー繊維で製織した防彈板１９が付着されることを特徴とする請求項１７に記載の火災避難室。
【請求項２０】
前記避難室本体１０の内部の裏側の壁には空気流入及び排出設備の異常時に避難空間内の空気を冷却させてくれるエアコン２２が設置されることを特徴とする請求項１７に記載の火災避難室。
【請求項２１】
前記避難室本体１０は、高層ビルの各フロアに設置され、各フロアに設置される各避難室本体１０の空気流入管１２は、建物の除煙設備側の配管または建物内の別の送風装置側の配管に接続されて、各避難室本体１０への空気の供給は建物の内部領域で一括して運用することを特徴とする請求項１７に記載の火災避難室。
【請求項２２】
前記避難室本体１０の各壁との間の連接部位には、「己」字型の断面形状を有する帯状の部材からなるとともに、断面の溝内に挿入されるシリカロープ３０を有して壁との間の連接部位を介した熱伝導率を最小限に抑えてくれる壁遮熱部材２９が挿入されて設置されることを特徴とする請求項１７に記載の火災避難室。
【請求項２３】
前記ドア１１は、ドアの４辺の縁に沿って設置され、ドア１１を介した熱伝導率を最小限に抑えてくれる９段の曲げ型断面を有するドア遮熱部材３１を含むことを特徴とする請求項１７に記載の火災避難室。
【発明の詳細な説明】
【技術分野】
【０００１】
本発明は、火災避難室に関するもので、より詳細には、アパートなどの高層ビルの室内に設置されて、火災発生時に外部に脱出していない人が安全に避難することができる空間を提供する火災避難室に関する。
【背景技術】
【０００２】
私たちの生活空間が徐々に都市化されながら居住空間が高層化されている傾向であるが、このように発展した住宅環境にもかかわらず、まだ、火災発生時に不安を感じるのが現実である。
【０００３】
特に、夜間の睡眠中に発生する火災は、他の地域で避けられない状況になることができる。
【０００４】
また、患者、妊婦、子供、障害者など挙動が不便な人は、単独で、または保護者がいるとしても安全な場所に避難することは容易ではない。
【０００５】
このように限られた空間で多くの人が生活して仕事をする高層ビルの場合には、火災が発生したときに致命的な人命の被害が懸念されるため、非常口と防火扉の設置が義務付けられており、また、緩降機など各種の避難設備を備えている実情である。
【０００６】
しかし、通常、高層ビルで火災が発生した場合には、緩降機の使い方を熟知している人が極めて少なく緩降機を介する避難がほとんど行われておらず、非常口の場合でも、火災時に煙突の役割をして煙が満ちてくることにより、非常口を介して避難することも困難である。
【０００７】
このような点を考慮して、最近、アパート及び共同住宅のバルコニーまたは高層建物の内部などに火災時にまだ避難していない人が消防隊員が到着するまで避難することができる火災避難室を多く設置している傾向にある。
【０００８】
通常の火災避難室は共同住宅のバルコニーや高層ビルの内部に設置されることで、四方の周囲と、上部と下部が遮断されている避難室、人々が入ることができるように避難室の室内側の壁に備えられる防火扉、避難室に避難した人たちがはしご車を介して地上に脱出することができるように避難室の室外側の壁に備えられる出口のドアなどを含む構造で構成されている。
【０００９】
一例として、韓国登録特許第１０−１５７８９２９号には、「地下室用火災避難室」が開示されている。
【００１０】
前記「地下室用火災避難室」は、地下室の床に設置される本体、人の出入りのための観音開き式防火扉、本体の上部壁を貫通して地上の外部に引き出される空気吸入管、本体の上部壁を貫通して地上の外部に引出される排気管などを含む構造で構成されており、火災発生時に人が脱出していない場合、一時的に安全に避難するし、助けを待つことができるようにする機能をする。
【００１１】
そこで、本発明は、「地下室用火災避難室」の構造と機能を改善し、安全性と機能性をさらに向上させた「地下室用火災避難室」をその案出の対象とする。
【先行技術文献】
【特許文献】
【００１２】
【特許文献１】韓国登録特許第１０−１５７８９２９号
【発明の概要】
【発明が解決しようとする課題】
【００１３】
したがって、本発明は、このような点を勘案して案出されたものであり、建物の室内や地下室などに自由に設置して、火災発生時に建物の外部に避難していなかった人々が安全に避難できるようにした火災避難室を提供することにその目的がある。
【００１４】
また、本発明の他の目的は、避難空間に入ってくる空気量と避難空間から出る空気量を適切に制御して、避難空間内に常に一定の差圧が造成されるようにすることで、落下物などによる毀損によって避難空間の内部にリーク（Ｌｅａｋ）が発生する場合でも、これを補償することができ、したがって、呼吸用空気の不足を完全に排除することができる火災避難室を提供することにある。
【００１５】
また、本発明の他の目的は、建物の各フロアに設置される火災避難室のそれぞれの空気流入管を建物の除煙設備側の配管または建物内の別の送風装置側の配管に接続して、それぞれの火災避難室への空気供給を建物の内部で一括して運用することにより、空気供給と関連した全体的なシステム運用の効率を向上させることができる火災避難室を提供することにある。
【００１６】
また、本発明の他の目的は、避難空間内の内側の壁に空気強制排出用ファンを設置して、ドアの開閉作動に連系して、空気強制排出用ファンを作動させることにより、ドアの開き時に避難空間内の空気を強制的に排出させることができ、したがって、避難空間の内部へ外部の煙や熱気が入ってくることを遮断することができる火災避難室を提供することにある。
【００１７】
また、本発明の他の目的は、避難室本体内へ外気が流入する空気流入管の一側に分岐管を造成し、分岐管の上に煙など有毒ガスを浄化することができるフィルタ装置はもちろん、酸素を発生させる酸素発生装置を設置し、外部の有毒ガスの遮断と同時に避難室本体の内部へ避難者の呼吸のための空気を供給したり、または避難室本体のフレーム空間を活用した空気貯蔵タンクを運用して、外部の有毒ガスの遮断と同時に避難室本体の内部へ避難者の呼吸のための空気を供給するための新しいシステムを実装することにより、火災避難室の内部へ有毒ガスが流入される問題を完全に排除することができるなどの避難者の安全を最大限に保護することができる火災避難室を提供することにある。
【課題を解決するための手段】
【００１８】
前記目的を達成するために、本発明で提供される火災避難室は次のような特徴がある。
【００１９】
本発明の第１の実施形態に係る火災避難室は前方の出入口と内部の避難空間を有して、建物の室内に設置される避難室本体及び前記避難室本体の出入口に設置される開閉可能なドアと、前記避難室本体の天井部の裏側に接続されて避難空間へ入ってくる空気を誘導する空気流入管と、前記避難室本体の天井部の前方に接続されて避難空間から出る空気を誘導する空気排出管と、前記避難室本体の内部の裏側の壁に出入口を見て設置されてドアの開閉作動に連系してＯＮ／ＯＦＦ作動されて、ドアの開き時に外部の煙や熱気が避難空間へ入ってくることを遮断する空気強制排出用ファンと、前記避難室本体の内部の天井部に設置されるランプと、前記避難室本体の内部に設置されて自体的に電源を提供するとともに、電気機器を制御するコントロールボックスを含む構造で構成される。
【００２０】
ここで、前記空気流入管の直径は空気排出管１３の直径に比べ相対的に大きい直径を有して、避難空間の外部へ出る空気量より避難空間の内部へ入ってくる空気量をさらに確保することにより、避難空間の内部に常に一定の差圧が造成されることができる。
【００２１】
そして、前記避難室本体の上下及び左右の壁と裏側の壁、そして前記ドア板体は、互いに空間を造成する内部パネルと外部パネルの二重のパネル構造からなることができ、前記各内部パネルにはケブラー繊維で製織した防彈板が付着されることができる。
【００２２】
好ましい実施形態であって、前記避難室本体の底面には、移動及び固定のための手段として前後及び左右４つの車輪及びストッパーが設置されることができ、前記避難室本体の内部の裏側の壁には空気流入及び排出設備の異常時に避難空間内の空気を冷却させてくれるエアコンが設置されることができる。
【００２３】
好ましい実施形態であって、前記避難室本体は、高層ビルの各フロアに設置され、各フロアに設置される各避難室本体の空気流入管は、建物の除煙設備側の配管または建物内の別の送風装置側の配管に接続されて、各避難室本体への空気の供給は建物の内部領域で一括して運用することができる。
【００２４】
好ましい実施形態であって、前記避難室本体の各壁との間の連接部位には、「己」字型の断面形状を有する帯状の部材からなるとともに、断面の溝内に挿入されるシリカロープを有して壁との間の連接部位を介した熱伝導率を最小限に抑えてくれる壁遮熱部材が挿入されて設置されることができる。
【００２５】
好ましい実施形態であって、前記ドアはドアの４辺の縁に沿って設置され、ドアを介した熱伝導率を最小限に抑えてくれる９段の曲げ型断面を有するドア遮熱部材を含むことができる。
【００２６】
一方、本発明の第２の実施形態に係る火災避難室は前方の出入口と内部の避難空間を有して、建物の室内に設置される避難室本体及び前記避難室本体の出入口に設置される開閉可能なドアと、前記避難室本体の天井部の裏側に接続されて避難空間へ入ってくる空気を誘導する空気流入管と、前記避難室本体の天井部の前方に接続されて避難空間から出る空気を誘導する空気排出管と、前記避難室本体の内部の裏側の壁に出入口を見て設置されてドアの開閉作動に連系してＯＮ／ＯＦＦ作動されて、ドアの開き時に外部の煙や熱気が避難空間へ入ってくることを遮断する空気強制排出用ファンと、前記避難室本体の内部に設置されて自体的に電源を提供するとともに、電気機器を制御するコントロールボックスと、前記空気流入管の一側から分岐されたサブ空気流入管と前記空気流入管とサブ空気流入管にそれぞれ設置される第１のソレノイドバルブ及び第２のソレノイドバルブと前記サブ空気流入管の上に設置されて空気中の有毒ガスを浄化するフィルタ装置と前記サブ空気流入管に接続されて空気の提供を受けると同時に、酸素を発生させる酸素発生器で構成されて空気の流入観測に設置されるセンサーの信号の入力を受けるコントロールボックスの出力制御により、第１のソレノイドバルブがＯＦＦ作動されると同時に、第２のソレノイドバルブがＯＮ作動されて、これに加え、酸素発生器が作動し、酸素発生器から提供される酸素を避難室本体の内部に供給できる呼吸用空気供給装置を含んでいるのが特徴である。
【００２７】
ここで、前記サブ空気流入管、第２のソレノイドバルブ、フィルタ装置及び酸素発生器は、避難室本体の壁の内部に造成される空間部に設置されることができる。
【００２８】
そして、前記空気流入管の直径は空気排出管の直径に比べ相対的に大きい直径を有して、避難空間の外部へ出る空気量より避難空間の内部へ入ってくる空気量をさらに確保することにより、避難空間の内部に常に一定の差圧が造成されることができる。
【００２９】
また、前記避難室本体の上下及び左右の壁と裏側の壁、そして前記ドア板体は、互いに空間を造成する内部パネルと外部パネルの二重のパネル構造からなり、前記各内部パネルにはケブラー繊維で製織した防彈板が付着されることができる。
【００３０】
好ましい実施形態であって、前記避難室本体の内部の裏側の壁には空気流入及び排出設備の異常時に避難空間内の空気を冷却させてくれるエアコンが設置されることができる。
【００３１】
好ましい実施形態であって、前記避難室本体は、高層ビルの各フロアに設置され、各フロアに設置された各避難室本体の空気流入管は、建物の除煙設備側の配管または建物内の別の送風装置側の配管に接続されて、各避難室本体への空気の供給は建物の内部領域で一括して運用できる。
【００３２】
好ましい実施形態であって、前記避難室本体の各壁との間の連接部位には、「己」字型の断面形状を有する帯状の部材からなるとともに、断面の溝内に挿入されるシリカロープを有して壁との間の連接部位を介した熱伝導率を最小限に抑えてくれる壁遮熱部材が挿入されて設置されることができる。
【００３３】
好ましい実施形態であって、前記ドアはドアの４辺の縁に沿って設置され、ドアを介した熱伝導率を最小限に抑えてくれる９段の曲げ型断面を有するドア遮熱部材を含むことができる。
【００３４】
一方、本発明の第３の実施形態に係る火災避難室は前方の出入口と内部の避難空間を有して、建物の室内に設置される避難室本体及び前記避難室本体の出入口に設置される開閉可能なドアと、前記避難室本体の天井部の裏側に接続されて避難空間へ入ってくる空気を誘導する空気流入管と、前記避難室本体の天井部の前方に接続されて避難空間から出る空気を誘導する空気排出管と、前記避難室本体の内部の裏側の壁に出入口を見て設置されてドアの開閉作動に連系してＯＮ／ＯＦＦ作動されて、ドアの開き時に外部の煙や熱気が避難空間へ入ってくることを遮断する空気強制排出用ファンと、前記避難室本体の内部に設置されて自体的に電源を提供するとともに、電気機器を制御するコントロールボックスと、前記空気流入管に設置される第１のソレノイドバルブと、前記避難室本体の底体の内部空間に設置される空気貯蔵タンクと、前記空気貯蔵タンクの吐出口に設置されるポンプ及び第３のソレノイドバルブで構成されて、空気流入観測に設置されるセンサーの信号の入力を受けるコントロールボックスの出力制御により、第１のソレノイドバルブがＯＦＦ作動されると同時に、第３のソレノイドバルブがＯＮ作動されて、これに加え、ポンプが作動され、空気貯蔵タンクに満たされている空気を避難室本体の内部へ供給できる呼吸用空気装置を含んでいることが特徴である。
【００３５】
ここで、前記空気流入管の直径は、空気排出管の直径に比べ相対的に大きい直径を有して、避難空間の外部へ出る空気量より避難空間の内部へ入ってくる空気量をさらに確保することにより、避難空間の内部に常に一定の差圧が造成されることができる。
【００３６】
そして、前記避難室本体の上下及び左右の壁と裏側の壁、そして前記ドア板体は、互いに空間を造成する内部パネルと外部パネルの二重のパネル構造からなり、前記各内部パネルにはケブラー繊維で製織した防彈板が付着されることができる。
【００３７】
また、前記避難室本体の内部の裏側の壁には空気流入及び排出設備の異常時に避難空間内の空気を冷却させてくれるエアコンが設置されることができる。
【００３８】
好ましい実施形態であって、前記避難室本体は、高層ビルの各フロアに設置され、各フロアに設置された各避難室本体の空気流入管は、建物の除煙設備側の配管または建物内の別の送風装置側の配管に接続されて、各避難室本体への空気の供給は建物の内部領域で一括して運用できる。
【００３９】
好ましい実施形態であって、前記避難室本体の各壁との間の連接部位には「己」字型の断面形状を有する帯状の部材からなるとともに、断面の溝内に挿入されるシリカロープを有して壁との間の連接部位を介した熱伝導率を最小限に抑えてくれる壁遮熱部材が挿入されて設置されることができる。
【００４０】
好ましい実施形態であって、前記ドアはドアの４辺の縁に沿って設置され、ドアを介した熱伝導率を最小限に抑えてくれる９段の曲げ型断面を有するドア遮熱部材を含むことができる。
【発明の効果】
【００４１】
本発明で提供される火災避難室は次のような効果がある。
【００４２】
第一に、建物の室内や地下室などに自由に設置して、火災発生時に建物の外部に避難していない人が救助要員が来るまで、安全に避難することができる効果がある。
【００４３】
第二に、火災避難室の空気流入管と空気排出管との間の配管サイズ（直径）の差を用いて、避難空間へ入ってくる空気量と避難空間から出る空気量が自動的に適切に制御されることにより、避難空間内に常に一定の差圧が造成されることができ、したがって落下物などによる毀損により避難空間の内部にリーク（Ｌｅａｋ）が発生した場合でも、これを補償して、呼吸用空気不足を完全に排除することができるなど、避難空間内の安全性を確保することができる効果がている。
【００４４】
第三に、建物の各フロアに設置される火災避難室のそれぞれの空気流入管を建物の室内に設置される除煙設備側の配管または建物内の別の送風装置側の配管に接続して、それぞれの火災避難室の空気供給を一括的に運用することにより、空気供給と関連した全体的なシステム運用の効率を向上させることができる効果があり、また、給気や排気が可能ではない建物や空気流入管を建物の外部へ抜き出すにくい構造の建物などにも有用に適用することができる効果がある。
【００４５】
第四に、火災避難室の避難空間内の内側の壁は、例えば出入口を正面に見る側の壁面にドアの開閉作動に連係して作動する空気強制排出用ファンを設置することにより、火災発生時に避難のためにドアを開くと、空気強制排出用ファンが作動して避難空間内の空気を出入口に向かって強制的に排出させることができ、したがって避難空間の内部へ外部の煙や熱気が入ってくることを完全に遮断することができる効果がある。
【００４６】
第五に、火災避難室の避難空間にエアコン設備が備えられているので、空気の供給と排気と関連して異常がある場合にも、避難空間内の空気が熱くなることを防げるなど、安全性を一層高めることができる効果がある。
【００４７】
第六に、避難室本体の内に外気が流入する空気流入管の一側に分岐管を造成し、分岐管の上に煙など有毒ガスを浄化することができるフィルタ装置はもちろん、酸素を発生させる酸素発生装置を設置して、外部の有毒ガスの遮断と同時に避難室本体の内部へ避難者の呼吸のための空気を供給したり、または避難室本体のフレーム空間を活用した空気貯蔵タンクを運用して、外部の有毒ガスの遮断と同時に避難室本体の内部へ避難者の呼吸のための空気を供給する新しいシステムを適用することにより、火災避難室の内部へ有毒ガスが流入される問題を完全に排除することができるなどの避難者の安全を最大限に保護することができる効果がある。
【図面の簡単な説明】
【００４８】
【図１】本発明の第１の実施形態に係る火災避難室を示す斜視図である。
【図２】本発明の第１の実施形態に係る火災避難室を示す斜視図である。
【図３】本発明の第１の実施形態に係る火災避難室を示す斜視図である。
【図４】本発明の第１の実施形態に係る火災避難室を示す断面図である。
【図５】本発明の第１の実施形態に係る火災避難室を示す断面図である。
【図６】本発明の第１の実施形態に係る火災避難室を示す断面図である。
【図７】本発明の第１の実施形態に係る火災避難室の設置状態の一例を示す概略図である。
【図８】本発明の第２の実施形態に係る火災避難室を示す断面図である。
【図９】本発明の第３の実施形態に係る火災避難室を示す断面図である。
【発明を実施するための形態】
【００４９】
以下、添付された図面を参照して、本発明を詳細に説明すると、次の通りである。
【００５０】
図１乃至図３は本発明の第１の実施形態に係る火災避難室を示す斜視図であり、図４乃至図６は本発明の第１の実施形態に係る火災避難室を示す断面図である。
【００５１】
図１乃至図６に示すように、前記火災避難室は前方の出入口と内部の避難空間を有して、建物の室内に設置される避難室本体１０及び前記避難室本体１０の出入口に設置される開閉可能なドア１１を含んでいる。
【００５２】
前記避難室本体１０は、多数の人が入って避難することができる避難空間を有して、人の出入りのための前方の出入口が開放されている四角形の箱型構造物からなる。
【００５３】
例えば、前記避難室本体１０は、上方と下方の壁、左側と右側の壁、裏側の壁を有して、出入口に対応する前方があいている四角形の箱型構造物からなる。
【００５４】
このような避難室本体１０の各壁は、互いに空間（Ｇａｐ）を造成し金属素材からなる内部パネル１７と外部パネル１８の二重のパネル構造からなって、これにより、避難室本体１０は自体的に構造的な剛性と断熱性能を発揮できる。
【００５５】
このとき、前記内部パネル１７と外部パネル１８との間には、多数の「コ」字形状や四角管形状の補強部材が介在されるので、内部パネル１７と外部パネル１８が互いに結束され、壁の全体的な構造的剛性を維持することができる。
【００５６】
また、前記避難室本体１０の各壁との間の連接部位には、所定の折り曲げた形状からなる壁遮熱部材２９が挿入されて設置される。
【００５７】
このような壁遮熱部材２９は、略「己」字型の断面形状を有する帯状の部材からなり、壁との間の連接部位に沿って並んで配置され、リベット締結構造または溶接などにより壁側に固定される構造で設置される。
【００５８】
また、前記壁遮熱部材２９の端面の溝内には、シリカロープ３０が挿入されて設置され、この時のシリカロープ３０は壁を介して伝達される熱を効果的に遮断する役割をする。
【００５９】
これにより、火災発生時に避難室本体１０側に熱が伝達される場合は、ほとんどの熱は、厚い壁側で遮断され、この時の壁との間の連接部位を介して伝達される熱も壁遮熱部材２９の曲げ形状が発揮する熱伝達経路の延長及び熱接触断面の縮小による熱伝導率の最小化作用及びシリカロープ３０が発揮する熱遮断作用により完全に遮断されることができる。
【００６０】
特に、前記避難室本体１０の各壁をなす内部パネル１７と外部パネル１８の内部、すなわち内部パネル１７の内側面にはケブラー（Ｋｅｖｌａｒ）繊維で製織された防彈板１９が付着され、これにより、火災時の爆発などによる破片などが壁を突き抜けて避難空間内に浸透することを効果的に防ぐことができ、なお、人命被害を防げることはもちろん、避難室本体１０の損傷や毀損を防いで内部の空気が流出することも防げる。
【００６１】
そして、前記避難室本体１０の底面には、前後及び左右の４つの車輪２０及び公知のストッパー２１が設置され、これにより、避難室本体１０をユーザーが容易に移動でき、ユーザーが望ましいところに容易に設置できる。
【００６２】
前記ドア１１は、避難室本体１０の出入口に設置される観音開き式の防火扉として、一方の側面のヒンジ部（図示せず）を用いて避難室本体１０の前方出入口に開閉可能な構造で設置される。
【００６３】
ここで、前記ドア１１の前方の一側に設置されるロック／アンロック可能な公知の開閉用ハンドル２３を操作すると、ドア１１を開閉することができ、ドア１１を閉じた状態で避難室本体１０の出入口回りは完全に密閉された状態に維持することができる。
【００６４】
このようなドア１１のドア板体は、互いに空間（Ｇａｐ）を造成し、金属素材からなる内部パネル１７と外部パネル１８の二重のパネル構造からなり、これにより、ドア１１は自体的に構造的な剛性及び断熱性能を発揮でき、この時の内部パネル１７と外部パネル１８の間には、多数の「コ」字形状や四角管形状の補強部材が介在されるので、内部パネル１７と外部パネル１８が互いに結束され板体の全体的な構造的剛性が維持されることができる。
【００６５】
このようなドア１１もドア板体をなす内部パネル１７と外部パネル１８の内部、すなわち内部パネル１７の内側面にケブラー（Ｋｅｖｌａｒ）繊維で製織された防彈板１９が付着され、これにより、火災時の爆発などによる破片などがドア板体を突き抜けて避難空間内に浸透することを効果的に防げ、なお、人命被害を防げることはもちろん、避難室本体１０の損傷や毀損を防いで内部の空気が流出されるも防げる。
【００６６】
そして、前記ドア１１には、確認窓２３が内部パネル１７と外部パネル１８を貫通する構造で設置され、これにより、避難室本体１０の内部に避難した人や外部の救助要員が互いに状態を確認することができる。
【００６７】
特に、前記ドア１１には、９段の曲げ型断面を有するドア遮熱部材３１が備えられて、ドア１１を介した熱伝導率が最大限に低減されることができる。
【００６８】
このようなドア遮熱部材２１は、ドアの内部パネル１７とドアの外部パネル１８との間の４辺の縁に沿って配置され、リベット締結構造や溶接などによりパネル側に結合される構造で設置される。
【００６９】
これにより、火災発生時にドア１１側に熱が伝達されると、この時の熱はドア遮熱部材３１の９段の曲げ型断面を経て、すなわち長い熱伝達経路を経て伝わるので、熱伝導率を最小限に抑えることができ、なお、ドア１１側を介した熱伝導を完全に遮断することができる。
【００７０】
また、前記火災避難室は避難室本体１０の天井部の裏側に接続されて避難空間へ入ってくる空気の通路の役割をする空気流入管１２及び避難室本体１０の天井部の前方に接続されて避難空間から出る空気の通路の役割をする空気排出管１３を含んでいる。
【００７１】
前記空気流入管１２は、金属素材からなる管であって、避難室本体１０の上方壁の内部パネル１７と外部パネル１８を貫通して内部の裏側の避難空間側と連通される構造で設置され、このように設置される空気流入管１２は避難室本体１０の裏側に一定の長さで延出されることができる。
【００７２】
このように設置される空気流入管１２の後端の端部は、後述する建物の除煙設備側の配管２５または建物内の別の送風装置側の配管２５に接続されて空気の提供を受けることができる。
【００７３】
他の実施形態として、前記空気流入管１２は、建物の除煙設備側の配管２５または建物の送風装置側の配管２５に接続されず、単独で空気を吸入することができる構造である場合には、空気流入管１２の外側端部には吸気用ファン４３が設置され、これにより、吸気用ファン４３の作動時に外部の空気が空気流入管１２を介して流入して避難室本体１０の内部に供給されることができる。
【００７４】
このような空気流入管１２は、二重管構造で構成されて、これにより、空気流入管１２を介して避難室本体１０の内部の避難空間に流入される空気が加熱されることを防げ、なお、加熱された空気による避難者の呼吸困難などの問題を完全に排除することができる。
【００７５】
前記空気排出管１３は、金属素材からなる管であって、避難室本体１０の上方壁の内部パネル１７と外部パネル１８を貫通して内部の前方避難空間側と連通される構造で設置され、このように設置される空気流入管１２は避難室本体１０の裏側に一定の長さで延出されることができる。
【００７６】
このように設置される空気排出管１３の後端の端部は、建物の屋内に設けられる避難室（図７の図面符号２６）の内部に露出され、これにより避難室本体１０の内部から排出される空気は空気排出管１３を介して抜け避難室測へ排出されることができる。
【００７７】
ここで、前記空気排出管１３の端部、すなわち上方に向かって折れた端部には円錐形の帽子２７が設置されており、この時の円錐形の帽子２７は空気排出管１３の内部へ粉塵などの異物が入ることを防いでくれる役割をする。
【００７８】
特に、前記避難室本体１０の内部に避難空間は、常に一定の差圧が造成される環境に維持されるので、避難空間内に呼吸に必要な充分な量の空気が常時確保されることができる。
【００７９】
このため、前記空気流入管１２の直径は、空気排出管１３の直径に比べ相対的に大きい直径を有することができる。
【００８０】
この時の前記空気流入管１２の直径に比べ前記空気排出管１３の直径は、約６０％程度の直径、例えば、空気流入管１２の直径が約５０ｍｍ程度であり、空気排出管１３の直径は約３０ｍｍ程度であり得る。
【００８１】
ここで、前記空気排出管１３の避難室本体１０側の接続部は、空気流入管１２と同じ直径であり得るので、避難室本体１０の内部で初期に排出される空気の流れが円滑に行われるようになり、空気排出管１３の初期区間はテーパ形状の軸菅部２８が備えられことにより、空気排出管１３の残りの区間は空気流入管１２に比べ相対的に小さな直径であり得る。
【００８２】
したがって、前記空気流入管１２の直径が空気排出管１３の直径に比べて相対的に大きい直径を有することにより、避難空間の外部へ出る空気量より避難空間の内部へ入ってくる空気量をさらに確保することができ、これにより、避難空間の内部に常に一定の差圧が造成されることができる。
【００８３】
なお、火災発生に伴う落下物、爆発などによる外部衝撃などにより避難室本体１０の破損によりリークが発生した場合でも、これを補償することができ、したがって、避難室本体１０の内部に確保されている空気量により避難者が呼吸をするには、大きな問題がなくなり、したがって避難者の安全を最大限に保護することができる。
【００８４】
そして、前記避難室本体１０の内部の避難空間に造成される差圧によって外部の煙や火災、汚染された空気が空気排出管１３を介して逆流して入ってくることが基本的に封鎖されるので、避難者はさらに安全に保護されることができる。
【００８５】
これに加え、前記空気排出管１３には、チェクバルブ４５が設置されることができ、これにより、避難室本体１０の内部の空気は空気排出管１３を介して排出され、また、外部の空気、煙、有毒ガスなどが空気排出管１３を逆流して避難室本体１０の内部へ流入されることが基本的に封鎖されることができる。
【００８６】
また、前記火災避難室は避難者が避難室本体１０の内部に入ってくるためにドア１１を開いたときに、外部の煙や熱気が避難室本体１０の内部へ流入されることを防いでくれる手段として空気強制排出用ファン１４を含んでいる。
【００８７】
このような空気強制排出用ファン１４は、避難室本体１０の内部の裏側の壁に出入口、すなわちドア１１を正面に見て設置され、ドア１１の開き時にＯＮ作動されるとともに、ドアの閉じ時にＯＦＦ作動される。
【００８８】
このため、前記避難室本体１０の出入口の一側には、公知のドア感知センサー（図示せず）が設置され、前記ドア感知センサーがドア１１の開きを検出すると、この時の検出信号はコントロールボックス１６に入力され、これと同時に、コントロールボックス１６の出力制御により空気強制排出用ファン１４が作動するので、すなわちドア１１をオープンするとともに、強力な風が避難室本体１の内部の内側から外側に向かって強く吹くので、ドアの開き時に外部の煙や熱気が避難空間へ入ってくることを完全に遮断することができる。
【００８９】
また、前記火災避難室は避難空間内の快適で安全な環境を造成してくれることができるいくつかの施設を含むことができる。
【００９０】
一例として、前記避難室本体１０の内部の天井部には、ランプ１５が設置されることができ、この時のランプ１５はコントロールボックス１６側から電源の提供を受け、ＯＮ／ＯＦＦ作動される。
【００９１】
もちろん、前記ランプ１５の場合、ドア１１のオープンとクローズ作動に連系してオンまたはオフすることができ、または避難室本体１０の内部に設置される別のスイッチ（図示せず）を操作してオンまたはオフすることができる。
【００９２】
他の例としては、前記避難室本体１０の内部の一側には空気貯蔵筒（図示せず）や酸素ボンベ（図示せず）が配置されることができ、これにより、避難者の中に呼吸困難が来る人が便利に使用することができる。
【００９３】
このように避難室本体１０の内部に空気貯蔵筒や酸素ボンベが配置される場合には、外部からの空気の供給がなくても避難者が空気貯蔵筒や酸素ボンベを用いて、一定時間の間に  呼吸することができるので、火災避難室の設置構造をより簡素化することができる。
【００９４】
例えば、前記避難室本体１０の空気流入管１２を遮断するとともに、空気排出管１３の端には、最小限の空気排出のみが行われるように、ノズル（図示せず）や微細な孔（図示せず）だけ形成した構造で、火災避難室を製作することができ、これにより、避難者は外部からの空気の供給がなくても、空気貯蔵筒や酸素ボンベを用いて呼吸しながら、避難室本体１０内で救助を待つことができる。
【００９５】
このときの前記空気排出管１３には、煙などが逆流して入ってくることを防止するためにチェクバルブ（図示せず）を設置することが望ましい。
【００９６】
このような火災避難室の場合、空気供給のための配管測との接続作業などを排除することができるので、設置構造が非常に簡単で、なお、各世代での火災避難室を効率的かつ経済的に運用することができる。
【００９７】
他の例としては、前記避難室本体１０の外部の一側には火災感知センサー（図示せず）を介して火災が感知されると、光と音を出力する警告灯（図示せず）が備えられており、これにより、避難者または救助要員が迅速に火災避難室を識別して避難することができたり、避難者を救助することができる。
【００９８】
また、前記火災避難室は避難室本体１０の内部環境を快適かつ安全に維持させてくれる手段でエアコン２２を含んでいる。
【００９９】
前記エアコン２２は、避難室本体１０の内部の裏側の壁に設置され、空気の流入及び排出設備の異常時または正常に作動している場合でも、避難室本体１０が加熱され、その内部の空気が熱くなると、エアコン２２を稼動させて避難空間内の空気を冷却させてくれることができる。
【０１００】
このようなエアコン２２のＯＮ／ＯＦＦ作動は避難空間内の温度を感知する温度感知センサー（図示せず）の信号によるコントロールボックス１６の出力制御により行うなったり、または避難者による別のスイッチ（図示せず）の操作によって行うことができる。
【０１０１】
また、前記火災避難室は電源の供給はもちろん、各種機器の出力制御のための手段としてコントロールボックス１６を含んでいる。
【０１０２】
前記コントロールボックス１６は、自体的に電力を供給することができる充電器、電池などを備えており、避難室本体１０の内部の一側、例えば避難室本体１０の内部の裏側の壁に設置され、自体的に電源を提供するとともに、電気機器を制御する役割をする。
【０１０３】
例えば、前記コントロールボックス１６は、避難室本体１０に設置されている空気強制排出用ファン１４、ランプ１５、警告灯（図示せず）、エアコン２２などと電気的に接続されて、これらに電源を供給する役割をして、また、ドア感知センサーや温度感知センサー、火災感知センサーなどから入力された信号をもとにして空気強制排出用ファン１４、ランプ１５、警告灯（図示せず時）、エアコン２２などの電気機器の出力を制御する役割もできる。
【０１０４】
図７は、本発明の一実施形態に係る火災避難室の設置状態の一例を示す概略図である。
【０１０５】
図７に示すように、前記火災避難室１００は、高層アパートや高層ビルなどの建物１１０の各フロアに設けられている避難室２６にそれぞれ設置され、このように設置される各火災避難室１００の空気流入管１２は、建物１１０に設置されている除煙設備中の一つの施設物の配管２５、例えば、建物１１０の機械室などで各フロアの避難室２６に延びて設けられる配管２５に接続される。
【０１０６】
すなわち、前記建物１１０の各避難室２６に沿って設けられる配管２５から分岐されたラインにそれぞれの避難室２６内の各火災避難室１００の空気流入管１２が接続されて、なお、前記配管２５に沿って提供される空気は空気流入管１２を介して、各火災避難室１００に供給されることができる。
【０１０７】
したがって、火災発生時に建物１１０をまだ脱出していない避難者が避難室２６の内部にある火災避難室１００のドア１１を開くと、空気強制排出用ファン（図４の図面符号１４）が作動して、火災避難室１００の内部から外部に強制的に送風が行われるようにされ、外部の煙や熱気が火災避難室１００の内部へ入らなくて、この状態で避難者が火災避難室１００の内部に入った後にドア１１を閉めると、空気強制排出用ファン（図４の図面符号１４）は作動を停止する。
【０１０８】
同時に、建物除煙設備の配管２５から供給される空気が空気流入管１２を介して火災避難室１００の内部に供給されるとともに内部に供給された空気の一部が空気排出管１３を介して排出され、これらの空気の適切な供給と排出が行われながら、火災避難室１００の内部に避難している避難者が呼吸上の問題なく、安全な状態で救助要員が来るまで避難することができる。
【０１０９】
ここで、前記配管２５を介して空気を供給する方式は、火災の発生を認知した外部の管理者等が除煙設備を操作して、空気が供給されるようにする方式も可能であるが、火災避難室１００の開きの信号と閉じの信号が入力されるコントロールボックス１６と除煙設備側の制御盤（図示せず）に連系させて、火災避難室１００のドア１１の閉じと同時に空気が供給されることにより、各火災避難室１００への空気の供給は建物の内部領域で一括して運用できることが望ましい。
【０１１０】
他の例としては、前記火災避難室１００側への空気供給は、建物内の別の送風装置（図示せず）側の配管２５を介して行われることもできる。
【０１１１】
したがって、建物の火災発生時にまだ脱出していない避難者が火災避難室に迅速に避難した後に救助を待つことで、火災発生による人命被害を最小限に抑えることができ、避難者の安全を最大限に保護することができる。
【０１１２】
図８は、本発明の第２の実施形態に係る火災避難室を示す断面図である。
【０１１３】
図８に示すように、前記火災避難室は前方の出入口と内部の避難空間を有して、建物の室内に設置される避難室本体１０及び前記避難室本体１０の出入口に設置される開閉可能なドア１１を含んでいる。
【０１１４】
前記避難室本体１０は、多数の人が入って避難することができる避難空間を有して、人の出入りのための前方の出入口が開放されている四角形の箱型構造物からなる。
【０１１５】
例えば、前記避難室本体１０は、上方と下部の壁、左側と右側の壁、裏側の壁を有して、出入口に対応する前方があいている四角形の箱型構造物からなる。
【０１１６】
このような避難室本体１０の各壁は、互いに空間（Ｇａｐ）を造成し、金属素材からなる内部パネル１７と外部パネル１８の二重のパネル構造からなり、これにより、避難室本体１０は自体的に構造的な剛性及び断熱性能を発揮できる。
【０１１７】
このとき、前記内部パネル１７と外部パネル１８の間には、多数の「コ」字形状や四角管形状の補強部材が介在されるので、内部パネル１７と外部パネル１８が互いに結束され、壁の全体的な構造的剛性を維持することができる。
【０１１８】
また、前記避難室本体１０の各壁との間の連接部位には、所定の折り曲げた形状からなる壁遮熱部材２９が挿入されて設置される。
【０１１９】
このような壁遮熱部材２９は、略「己」字型の断面形状を有する帯状の部材からなり、壁との間の連接部位に沿って並んで配置され、リベット締結構造または溶接などにより壁側に固定される構造で設置される。
【０１２０】
そして、前記壁遮熱部材２９の端面の溝内には、シリカロープ３０が挿入されて設置され、この時のシリカロープ３０は壁を介して伝達される熱を効果的に遮断する役割をする。
【０１２１】
これにより、火災発生時に避難室本体１０側に熱が伝達される場合は、ほとんどの熱は、厚い壁側で遮断し、この時の壁との間の連接部位を介して伝達される熱も壁遮熱部材２９の曲げ形状が発揮する熱伝達経路の延長及び熱接触断面の縮小による熱伝導率の最小化作用及びシリカロープ３０が発揮する熱遮断作用により完全に遮断されることができる。
【０１２２】
特に、前記避難室本体１０の各壁をなす内部パネル１７と外部パネル１８の内部、すなわち内部パネル１７の内側面にはケブラー（Ｋｅｖｌａｒ）繊維で製織された防彈板１９が付着され、これにより、火災時の爆発などによる破片などが壁を突き抜けて避難空間内に浸透することを効果的に防げ、なお、人命被害を防げることはもちろん、避難室本体１０の損傷や毀損を防いで内部の空気が流出することも防げる。
【０１２３】
そして、前記避難室本体１０の底面には、前後及び左右の４つの車輪２０及び公知のストッパー２１が設置され、これにより、避難室本体１０をユーザーが容易に移動でき、ユーザーが望ましいところに容易に設置できる。
【０１２４】
前記ドア１１は、避難室本体１０の出入口に設置される観音開き式の防火扉として、一方の側面のヒンジ部（図示せず）を用いて避難室本体１０の前方出入口に開閉可能な構造で設置される。
【０１２５】
ここで、前記ドア１１の前方の一側に設置されるロック／アンロック可能な公知の開閉用ハンドル２３を操作すると、ドア１１を開閉することができ、ドア１１を閉じた状態で避難室本体１０の出入口回りは完全に密閉された状態に維持することができる。
【０１２６】
このようなドア１１のドア板体は、互いに空間（Ｇａｐ）を造成し、金属素材からなる内部パネル１７と外部パネル１８の二重のパネル構造からなり、これにより、ドア１１は自体的に構造的な剛性及び断熱性能を発揮することができ、この時の内部パネル１７と外部パネル１８の間には、多数の「コ」字形状や四角管形状の補強部材が介在されるので、内部パネル１７と外部パネル１８が互いに結束され板体の全体的な構造的剛性が維持されることができる。
【０１２７】
このようなドア１１もドア板体をなす内部パネル１７と外部パネル１８の内部、すなわち内部パネル１７の内側面にケブラー（Ｋｅｖｌａｒ）繊維で製織された防彈板１９が付着され、これにより、火災時の爆発などによる破片などがドア板体を突き抜けて避難空間内に浸透することを効果的に防げ、なお、人命被害を防げることはもちろん、避難室本体１０の損傷や毀損を防いで内部の空気が流出されるも防げる。
【０１２８】
そして、前記ドア１１には、確認窓２３が内部パネル１７と外部パネル１８を貫通する構造で設置され、これにより、避難室本体１０の内部に避難した人や外部の救助要員が互いに状態を確認できる。
【０１２９】
特に、前記ドア１１には、９段の曲げ型断面を有するドア遮熱部材３１が備えられて、ドア１１を介した熱伝導率が最大限に低減されることができる。
【０１３０】
このようなドア遮熱部材２１は、ドアの内部パネル１７とドアの外部パネル１８との間の４辺の縁に沿って配置され、リベット締結構造や溶接などによりパネル側に結合される構造で設置される。
【０１３１】
これにより、火災発生時にドア１１側に熱が伝達されると、この時に熱はドア遮熱部材３１の９段の曲げ型断面を経て、すなわち長い熱伝達経路を経て伝わるので、熱伝導率を最小限に抑えることができ、なお、ドア１１側を介した熱伝導を完全に遮断することができる。
【０１３２】
また、前記火災避難室は避難室本体１０の天井部の裏側に接続されて避難空間へ入ってくる空気の通路の役割をする空気流入管１２及び避難室本体１０の天井部の前方に接続されて避難空間から出る空気の通路の役割をする空気排出管１３を含んでいる。
【０１３３】
前記空気流入管１２は、金属素材からなる管であって、避難室本体１０の上方壁の内部パネル１７と外部パネル１８を貫通して内部の裏側の避難空間側と連通される構造で設置され、このように設置される空気流入管１２は避難室本体１０の裏側に一定の長さで延出されることができる。
【０１３４】
このように設置される空気流入管１２の後端の端部は、後述する建物の除煙設備側の配管２５または建物内の別の送風装置側の配管２５に接続されて空気の提供を受けることができる。
【０１３５】
他の実施形態として、前記空気流入管１２は、建物の除煙設備側の配管２５または建物の送風装置側の配管２５に接続されず、単独で空気を吸入することができる構造である場合には、空気流入管１２の外側端部には吸気用ファン４３が設置され、これにより、吸気用ファン４３の作動時に外部の空気が空気流入管１２を介して流入して避難室本体１０の内部に供給されることができる。
【０１３６】
これに加え、前記空気流入管１２の外側端部には、センサー３７が設置され、この時のセンサー３７は、空気流入管１２を介して流入される煙等の有毒ガスを検出する役割をして、このようにセンサー３７が検出した信号はコントロールボックス１６側に送ることができる。
【０１３７】
ここで、前記センサー３７は、有毒ガス、可燃性ガスなどを検出する公知のセンサーを適用することができる。
【０１３８】
このような空気流入管１２は、二重管構造で構成されて、これにより、空気流入管１２を介して避難室本体１０の内部の避難空間に流入される空気が加熱されることを防げ、なお、加熱された空気による避難者の呼吸困難などの問題を完全に排除することができる。
【０１３９】
そして、前記空気流入管１２の一側、例えば、後述する配管ティー４４と避難室本体１０の間の区間の一側には、第１のソレノイドバルブ３３が設置され、このように設置される第１のソレノイドバルブ３３はコントロールボックス１６によって制御され、ＯＮ作動（開き状態）されたり、ＯＦＦ作動（閉じ状態）されることができる。
【０１４０】
例えば、平常時の第１のソレノイドバルブ３３は、常時ＯＮ作動（開き）状態を維持することになる一方、前記センサー３７による有毒ガスの検出信号がコントロールボックス１６に入力されると、この時のコントロールボックス１６による出力制御により、第１のソレノイドバルブ３３がＯＦＦ作動（閉じた状態）され、これにより、空気流入管１２が遮断され、空気流入管１２を介して避難室本体１０の内部に空気だけでなく、有毒ガスが流入することが遮断されることができる。
【０１４１】
前記空気排出管１３は、金属素材からなる管であって、避難室本体１０の上方壁の内部パネル１７と外部パネル１８を貫通して内部の前方避難空間側と連通される構造で設置され、このように設置される空気流入管１２は避難室本体１０の裏側に一定の長さで延出されることができる。
【０１４２】
このように設置される空気排出管１３の後端の端部は、建物の屋内に設けられる避難室（図７の図面符号２６）の内部に露出され、これにより避難室本体１０の内部から排出される空気は空気排出管１３を介して抜け避難室測へ排出されることができる。
【０１４３】
ここで、前記空気排出管１３の端部、すなわち上方に向かって折れた先端には円錐形の帽子２７が設置されており、この時の円錐形の帽子２７は空気排出管１３の内部へ粉塵などの異物が入ることを防いでくれる役割をする。
【０１４４】
特に、前記避難室本体１０の内部に避難空間は、常に一定の差圧が造成される環境に維持されるので、避難空間内に呼吸に必要な充分な量の空気が常時確保されることができる。
【０１４５】
このため、前記空気流入管１２の直径は、空気排出管１３の直径に比べ相対的に大きい直径を有することができる。
【０１４６】
この時の前記空気流入管１２の直径に比べ前記空気排出管１３の直径は、約６０％程度の直径、例えば、空気流入管１２の直径が約５０ｍｍ程度であり、空気排出管１３の直径は約３０ｍｍ程度であり得る。
【０１４７】
ここで、前記空気排出管１３の避難室本体１０側の接続部は、空気流入管１２と同じ直径であり得るので、避難室本体１０の内部で初期に排出される空気の流れが円滑に行われるようになり、空気排出管１３の初期区間はテーパ形状の軸菅部２８が備えられことにより、空気排出管１３の残りの区間は空気流入管１２に比べ相対的に小さな直径であり得る。
【０１４８】
したがって、前記空気流入管１２の直径が空気排出管１３の直径に比べて相対的に大きい直径を有することにより、避難空間の外部へ出る空気量より避難空間の内部へ入ってくる空気量をさらに確保することができ、これにより、避難空間の内部に常に一定の差圧が造成されることができる。
【０１４９】
なお、火災発生に伴う落下物、爆発などによる外部衝撃などにより避難室本体１０の破損によりリークが発生した場合でも、これを補償することができ、したがって、避難室本体１０の内部に確保されている空気量によって避難者が呼吸をするには、大きな問題がなくなり、したがって避難者の安全を最大限に保護することができる。
【０１５０】
そして、前記避難室本体１０の内部の避難空間に造成される差圧によって外部の煙や火災、汚染された空気が空気排出管１３を介して逆流して入ってくることが基本的に封鎖されるので、避難者はさらに安全に保護されることができる。
【０１５１】
これに加え、前記空気排出管１３には、チェクバルブ４５が設置されることができ、これにより、避難室本体１０の内部の空気は、空気排出管１３を介して排出され、また、外部の空気、煙、有毒ガスなどが空気排出管１３を逆流して避難室本体１０の内部へ流入されることが基本的に封鎖されることができる。
【０１５２】
また、前記火災避難室は避難者が避難室本体１０の内部に入ってくるためにドア１１を開いたときに、外部の煙や熱気が避難室本体１０の内部へ流入されることを防いでくれる手段として空気強制排出用ファン１４を含んでいる。
【０１５３】
このような空気強制排出用ファン１４は、避難室本体１０の内部の裏側の壁に出入口、すなわち、ドア１１を正面に見て設置され、ドア１１の開き時にＯＮ作動されるとともに、ドアの閉じ時にＯＦＦ作動される。
【０１５４】
このため、前記避難室本体１０の出入口の一側には、公知のドア感知センサー（図示せず）が設置され、前記ドア感知センサーがドア１１の開きを検出すると、この時の検出信号はコントロールボックス１６に入力され、これと同時に、コントロールボックス１６の出力制御により空気強制排出用ファン１４が作動するので、すなわちドア１１をオープンするとともに、強力な風が避難室本体１０の内部の内側から外側に向かって強く吹くので、ドアの開き時に外部の煙や熱気が避難空間へ入ってくることを完全に遮断することができる。
【０１５５】
また、前記火災避難室は避難空間内の快適で安全な環境を造成してくれることができるいくつかの施設を含むことができる。
【０１５６】
一例として、前記避難室本体１０の内部の天井部には、ランプ１５が設置されることができ、この時のランプ１５はコントロールボックス１６側から電源の提供を受け、ＯＮ／ＯＦＦ作動される。
【０１５７】
もちろん、前記ランプ１５の場合、ドア１１のオープンとクローズ作動に連系してオンまたはオフすることができ、または避難室本体１０の内部に設置される別のスイッチ（図示せず）を操作してオンまたはオフすることができる。
【０１５８】
他の例としては、前記避難室本体１０の内部の一側には空気貯蔵筒（図示せず）や酸素ボンベ（図示せず）が配置されることができ、これにより、避難者の中に呼吸困難が来る人が便利に使用することができる。
【０１５９】
このように避難室本体１０の内部に空気貯蔵筒や酸素ボンベが配置される場合には、外部からの空気の供給がなくても避難者が空気貯蔵筒や酸素ボンベを用いて、一定時間の間に  呼吸することができるので、火災避難室の設置構造をより簡素化することができる。
【０１６０】
例えば、前記避難室本体１０の空気流入管１２を遮断するとともに、空気排出管１２の端部には、最小限の空気排出のみが行われるように、ノズル（図示せず）や微細な孔（図示せず）だけ形成した構造で火災避難室を製作することができ、これにより、避難者は外部からの空気の供給がなくても、空気貯蔵筒や酸素ボンベを用いて呼吸しながら、避難室本体１０内で救助を待つことができる。
【０１６１】
この時の前記空気排出管１２には、煙などが逆流して入ってくることを防止するためにチェクバルブ（図示せず）を設置することが望ましい。
【０１６２】
このような火災避難室の場合、空気供給のための配管測との接続作業などを排除することができるので、設置構造が非常に簡単で、なお、各世代での火災避難室を効率的かつ経済的に運用することができる。
【０１６３】
他の例としては、前記避難室本体１０の外部の一側には火災感知センサー（図示せず）を介して火災が感知されると、光と音を出力する警告灯（図示せず）が備えられており、これにより、避難者または救助要員が迅速に火災避難室を識別して避難することができたり、避難者を救助することができる。
【０１６４】
また、前記火災避難室は避難室本体１０の内部環境を快適かつ安全に維持させてくれる手段でエアコン２２を含んでいる。
【０１６５】
前記エアコン２２は、避難室本体１０の内部の裏側の壁に設置され、空気の流入及び排出設備の異常時または正常に作動している場合でも、避難室本体１０が加熱され、その内部の空気が熱くなると、エアコン２２を稼動させて避難空間内の空気を冷却させてくれることができる。
【０１６６】
このようなエアコン２２のＯＮ／ＯＦＦ作動は避難空間内の温度を感知する温度感知センサー（図示せず）の信号によるコントロールボックス１６の出力制御により行うなったり、または避難者による別のスイッチ（図示せず）の操作によって行うことができる。
【０１６７】
また、前記火災避難室は電源の供給はもちろん、各種機器の出力制御のための手段としてコントロールボックス１６を含んでいる。
【０１６８】
前記コントロールボックス１６は、自体的に電力を供給することができる充電器、電池などを備えており、避難室本体１０の内部の一側、例えば避難室本体１０の内部の裏側の壁に設置され、自体的に電源を提供するとともに、電気機器を制御する役割をする。
【０１６９】
例えば、前記コントロールボックス１６は、避難室本体１０に設置されている空気強制排出用ファン１４、ランプ１５、警告灯（図示せず）、エアコン２２などと電気的に接続されて、これらに電源を供給する役割をすることになり、また、ドア感知センサーや温度感知センサー、火災感知センサーなどから入力された信号をもとにして空気強制排出用ファン１４、ランプ１５、警告灯（図示せず時）、エアコン２２などの電気機器を出力制御する役割もできるようになり、また、空気流入管１２上の第１のソレノイドバルブ３３はもちろん、サブ空気流入管３２上の第２のソレノイドバルブ３４、酸素発生器３６と、空気貯蔵タンク４０側の排出側に設置されるポンプ４１と第３のソレノイドイブバルブ４２を出力制御する役割もできる。
【０１７０】
また、前記火災避難室は火災避難室内へ有毒ガスの浸透を基本的に遮断して避難者の安全を保護することができる手段として、呼吸用空気供給装置３８ａを含んでいる。
【０１７１】
前記呼吸用空気供給装置３８ａは、空気流入管１２側に流入される空気中の煙などの有毒ガスが検出されると、すぐに空気流入管１２を遮断すると同時に、サブ空気流入管３２を介して空気を吸入しながら有毒ガスを浄化することはもちろん、酸素を発生させて、これを避難室本体１０の内部に提供する役割をする。
【０１７２】
このため、前記空気流入管１２の一側には、配管ティー４４が設けられ、このように設置される配管ティー４４から分岐するサブ空気流入管３２は下に垂直に延長して形成される。
【０１７３】
そして、前記サブ空気流入管３２の上に第２のソレノイドバルブ３４が設置され、この時の第２のレノイドバルブ３４はコントロールボックス１６によって出力制御されて、ＯＮ作動（開き状態）されたり、またはＯＦＦ作動（閉じ状態）されることができる。
【０１７４】
例えば、第１のソレノイドバルブ３３のＯＦＦ作動によって、空気流入管１２が遮断された場合には、前記第２のソレノイドバルブ３４がＯＮ作動されサブ空気流入管３２側に外気が流れるようになり、空気流入管１２を介して正常に外部の空気が供給される場合には、第２のソレノイドバルブ３４はＯＦＦ作動状態を維持することができる。
【０１７５】
これに加え、前記サブ空気流入管３２には、空気中に含まれている有毒ガスを浄化する役割をするフィルタ装置３５が設置される。
【０１７６】
これにより、前記サブ空気流入管３２へ流入される空気（有毒ガスを含む空気）がフィルタ装置３５を経ると、空気中に含まれている有毒ガスが除去され、このように有毒ガスが除去されてきれいに浄化された空気が酸素発生器３６側に送ることができる。
【０１７７】
ここで、前記フィルタ装置３５は、ガスマスクなどに使用されている浄化筒、キャニスターなどを適用することができる。
【０１７８】
特に、前記呼吸用空気供給装置３８ａは酸素を発生させて、避難室本体１０の内部に酸素を供給する役割をする酸素発生器３６を含んでいる。
【０１７９】
このような酸素発生器３６の吸入側にはサブ空気流入管３２が接続され、酸素発生器３６の排出側は配管などを介して避難室本体１０の内部に連結されて設置され、この時の酸素発生器３６はコントロールボックス１６の出力制御によりＯＮまたはＯＦＦ作動されることができる。
【０１８０】
これにより、前記酸素発生器３６の吸入側にフィルタ装置３５を経た空気、すなわち有毒ガスが除去された空気が流入され、続いて酸素発生器３６の内部で作られた酸素が排出側を介して避難室本体１０の内部に供給されることができる。
【０１８１】
ここで、前記酸素発生器３６の内部で酸素が作られるようにする方法などは、当該技術分野で通常的に知られている方法であれば特に制限されず用いることができる。
【０１８２】
そして、前記呼吸用空気供給装置３８ａのサブ空気流入管３２、第２のソレノイドバルブ３４、フィルタ装置３５及び酸素発生器３６は、避難室本体１０の壁の内部に造成される空間部３９に設置されることができる。
【０１８３】
例えば、前記避難室本体１０の裏側の壁をなす内部パネル１７と外部パネル１８との間の空間部３９内に空気流入管１２側の配管ティー４４から延長されるサブ空気流入管３２が壁の上方を貫通して垂直に設けられ、このように設置されるサブ空気流入管３２は、空間部３９の内部に設置される第２のソレノイドバルブ３４、フィルタ装置３５及び酸素発生器３６が連結されて設置され、この時の酸素発生器３６の排出側は内部パネル１７の上の金網などの流入口側に接続されて酸素が避難室本体１０の内部に供給される。
【０１８４】
したがって、火災発生時に、空気流入管１２を介して入ってくる空気中に煙などの有毒ガスが含まれている場合に、これをセンサー３７が検出される。
【０１８５】
前記センサー３７の検出信号がコントロールボックス１６に入力されると、コントロールボックス１６の出力制御により、第１のソレノイドバルブ３３がＯＦＦ作動されながら閉じると同時に第２のソレノイドバルブ３４がＯＮ作動して開かれ、この時、外部の空気はサブ空気流入管３２に向かって流れて、これに加え、コントロールボックス１６の出力制御により酸素発生器３６も作動を開始する。
【０１８６】
続いて、前記サブ空気流入管３２に流入される空気は、フィルタ装置３５を通過するようになり、この過程で、空気中の有毒ガスは除去され、このようにフィルタ装置３５を経て浄化された空気は酸素発生器３６に流入される。
【０１８７】
続いて、前記酸素発生器３６の作動によって生成された酸素は、避難室本体１０の内部に供給され、避難者が呼吸できる。
【０１８８】
このように、外部の有毒ガスの流入を完全に遮断するとともに、呼吸のための酸素を供給することにより、避難者を有毒ガスの危険から保護し、最大限の安全を確保することができる。
【０１８９】
図９は、本発明の第３の実施形態に係る火災避難室を示す断面図である。
【０１９０】
図９に示したように、前記火災避難室は前方の出入口と内部の避難空間を有して、建物の室内に設置される避難室本体１０及び前記避難室本体１０の出入口に設置される開閉可能なドア１１を含んでいる。
【０１９１】
前記避難室本体１０は、多数の人が入って避難することができる避難空間を有して、人の出入りのための前方の出入口が開放されている四角形の箱型構造物からなる。
【０１９２】
例えば、前記避難室本体１０は、上方と下部の壁、左側と右側の壁、裏側の壁を有して、出入口に対応する前方があいている四角形の箱型構造物からなる。
【０１９３】
このような避難室本体１０の各壁は、互いに空間（Ｇａｐ）を造成し、金属素材からなる内部パネル１７と外部パネル１８の二重のパネル構造からなり、これにより、避難室本体１０は自体的に構造的な剛性及び断熱性能を発揮できる。
【０１９４】
このとき、前記内部パネル１７と外部パネル１８の間には、多数の「コ」字形状や四角管形状の補強部材が介在されるので、内部パネル１７と外部パネル１８が互いに結束され、壁の全体的な構造的剛性を維持することができる。
【０１９５】
また、記避難室本体１０の各壁との間の連接部位には、所定の折り曲げた形状からなる壁遮熱部材２９が挿入されて設置される。
【０１９６】
このような壁遮熱部材２９は、略「己」字型の断面形状を有する帯状の部材からなり、壁との間の連接部位に沿って並んで配置され、リベット締結構造または溶接などにより壁側に固定される構造で設置される。
【０１９７】
そして、前記壁遮熱部材２９の端面の溝内には、シリカロープ３０が挿入されて設置され、この時のシリカロープ３０は、壁を介して伝達される熱を効果的に遮断する役割をする。
【０１９８】
これにより、火災発生時に避難室本体１０側に熱が伝達される場合は、ほとんどの熱は、厚い壁側で遮断し、この時の壁との間の連接部位を介して伝達される熱も壁遮熱部材２９の曲げ形状が発揮する熱伝達経路の延長及び熱接触断面の縮小による熱伝導率の最小化作用及びシリカロープ３０が発揮する熱遮断作用により完全に遮断されることができる。
【０１９９】
特に、前記避難室本体１０の各壁をなす内部パネル１７と外部パネル１８の内部、すなわち内部パネル１７の内側面には、ケブラー（Ｋｅｖｌａｒ）繊維で製織された防彈板１９が付着され、これにより、火災時の爆発などによる破片などが壁を突き抜けて避難空間内に浸透することを効果的に防げ、なお、人命被害を防げることはもちろん、避難室本体１０の損傷や毀損を防いで内部の空気が流出することも防げる。
【０２００】
そして、前記避難室本体１０の底面には、前後及び左右の４つの車輪２０及び公知のストッパー２１が設置され、これにより、避難室本体１０をユーザーが容易に移動でき、ユーザーが望ましいところに容易に設置できる。
【０２０１】
前記ドア１１は、避難室本体１０の出入口に設置される観音開き式の防火扉として、一方の側面のヒンジ部（図示せず）を用いて避難室本体１０の前方出入口に開閉可能な構造で設置される。
【０２０２】
ここで、前記ドア１１の前方の一側に設置されるロック／アンロック可能な公知の開閉用ハンドル２３を操作すると、ドア１１を開閉することができ、ドア１１を閉じた状態で避難室本体１０の出入口回りは完全に密閉された状態に維持することができる。
【０２０３】
このようなドア１１のドア板体は、互いに空間（Ｇａｐ）を造成し、金属素材からなる内部パネル１７と外部パネル１８の二重のパネル構造からなり、これにより、ドア１１は自体的に構造的な剛性及び断熱性能を発揮することができ、この時の内部パネル１７と外部パネル１８の間には、多数の「コ」字形状や四角管形状の補強部材が介在されるので、内部パネル１７と外部パネル１８が互いに結束され板体の全体的な構造的剛性が維持されることができる。
【０２０４】
このようなドア１１もドア板体をなす内部パネル１７と外部パネル１８の内部、すなわち内部パネル１７の内側面にケブラー（Ｋｅｖｌａｒ）繊維で製織された防彈板１９が付着され、これにより、火災時の爆発などによる破片などがドア板体を突き抜けて避難空間内に浸透することを効果的に防げ、なお、人命被害を防げることはもちろん、避難室本体１０の損傷や毀損を防いで内部の空気が流出されるも防げる。
【０２０５】
そして、前記ドア１１には、確認窓２３が内部パネル１７と外部パネル１８を貫通する構造で設置され、これにより、避難室本体１０の内部に避難した人や外部の救助要員が互いに状態を確認できる。
【０２０６】
特に、前記ドア１１には、９段の曲げ型断面を有するドア遮熱部材３１が備えられて、ドア１１を介した熱伝導率が最大限に低減されることができる。
【０２０７】
このようなドア遮熱部材２１は、ドアの内部パネル１７とドアの外部パネル１８との間の４辺の縁に沿って配置され、リベット締結構造や溶接などによりパネル側に結合される構造で設置される。
【０２０８】
これにより、火災発生時にドア１１側に熱が伝達されると、この時に熱はドア遮熱部材３１の９段の曲げ型断面を経て、すなわち長い熱伝達経路を経て伝わるので、熱伝導率を最小限に抑えることができ、なお、ドア１１側を介した熱伝導を完全に遮断することができる。
【０２０９】
また、前記火災避難室は避難室本体１０の天井部の裏側に接続されて避難空間へ入ってくる空気の通路の役割をする空気流入管１２及び避難室本体１０の天井部の前方に接続されて避難空間から出る空気の通路の役割をする空気排出管１３を含んでいる。
【０２１０】
前記空気流入管１２は、金属素材からなる管であって、避難室本体１０の上方壁の内部パネル１７と外部パネル１８を貫通して内部の裏側の避難空間側と連通される構造で設置され、このように設置される空気流入管１２は避難室本体１０の裏側に一定の長さで延出されることができる。
【０２１１】
このように設置される空気流入管１２の後端の端部は、後述する建物の除煙設備側の配管２５または建物内の別の送風装置側の配管２５に接続されて空気の提供を受けることができる。
【０２１２】
他の実施形態として、前記空気流入管１２は、建物の除煙設備側の配管２５または建物の送風装置側の配管２５に接続されず、単独で空気を吸入することができる構造である場合には、空気流入管１２の外側端部には吸気用ファン４３が設置され、これにより、吸気用ファン４３の作動時に外部の空気が空気流入管１２を介して流入して避難室本体１０の内部に供給されることができる。
【０２１３】
これに加え、前記空気流入管１２の外側端部には、センサー３７が設置され、この時のセンサー３７は、空気流入管１２を介して流入される煙等の有毒ガスを検出する役割をして、このようにセンサー３７が検出した信号はコントロールボックス１６側に送ることができる。
【０２１４】
ここで、前記センサー３７は、有毒ガス、可燃性ガスなどを検出する公知のセンサーを適用することができる。
【０２１５】
このような空気流入管１２は、二重管構造で構成されて、これにより、空気流入管１２を介して避難室本体１０の内部の避難空間に流入される空気が加熱されることを防げ、なお、加熱された空気による避難者の呼吸困難などの問題を完全に排除することができる。
【０２１６】
そして、前記空気流入管１２の一側には第１のソレノイドバルブ３３が設置され、このように設置される第１のソレノイドバルブ３３はコントロールボックス１６によって制御され、ＯＮ作動（開き状態）されたり、ＯＦＦ作動（閉じ状態）されることができる。
【０２１７】
例えば、平常時の第１のソレノイドバルブ３３は、常時ＯＮ作動（開き）状態を維持することになる一方、前記センサー３７による有毒ガスの検出信号がコントロールボックス１６に入力されると、この時のコントロールボックス１６による出力制御により、第１のソレノイドバルブ３３がＯＦＦ作動（閉じた状態）され、これにより、空気流入管１２が遮断され、空気流入管１２を介して避難室本体１０の内部へ空気だけでなく有毒ガスが流入することが遮断されることができる。
【０２１８】
前記空気排出管１３は、金属素材からなる管であって、避難室本体１０の上方壁の内部パネル１７と外部パネル１８を貫通して内部の前方避難空間側と連通される構造で設置され、このように設置される空気流入管１２は避難室本体１０の裏側に一定の長さで延出されることができる。
【０２１９】
このように設置される空気排出管１３の後端の端部は、建物の屋内に設けられる避難室（図７の図面符号２６）の内部に露出され、これにより、避難室本体１０の内部から排出される空気は空気排出管１３を介して抜け避難室測へ排出されることができる。
【０２２０】
ここで、前記空気排出管１３の端部、すなわち上方に向かって折れた先端には円錐形の帽子２７が設置されており、この時の円錐形の帽子２７は空気排出管１３の内部へ粉塵などの異物が入ることを防いでくれる役割をする。
【０２２１】
特に、前記避難室本体１０の内部に避難空間は、常に一定の差圧が造成される環境に維持されるので、避難空間内に呼吸に必要な充分な量の空気が常時確保されることができる。
【０２２２】
このため、前記空気流入管１２の直径は、空気排出管１３の直径に比べ相対的に大きい直径を有することができる。
【０２２３】
この時の前記空気流入管１２の直径に比べ前記空気排出管１３の直径は、約６０％程度の直径、例えば、空気流入管１２の直径が約５０ｍｍ程度であり、空気排出管１３の直径は約３０ｍｍ程度であり得る。
【０２２４】
ここで、前記空気排出管１３の避難室本体１０側の接続部は、空気流入管１２と同じ直径であり得るので、避難室本体１０の内部で初期に排出される空気の流れが円滑に行われるようになり、空気排出管１３の初期区間はテーパ形状の軸菅部２８が備えられことにより、空気排出管１３の残りの区間は空気流入管１２に比べ相対的に小さな直径であり得る。
【０２２５】
したがって、前記空気流入管１２の直径が空気排出管１３の直径に比べて相対的に大きい直径を有することにより、避難空間の外部へ出る空気量より避難空間の内部へ入ってくる空気量をさらに確保することができ、これにより、避難空間の内部に常に一定の差圧が造成されることができる。
【０２２６】
なお、火災発生に伴う落下物、爆発などによる外部衝撃などにより避難室本体１０の破損によりリークが発生した場合でも、これを補償することができ、したがって、避難室本体１０の内部に確保されている空気量によって避難者が呼吸をするには、大きな問題がなくなり、したがって避難者の安全を最大限に保護することができる。
【０２２７】
そして、前記避難室本体１０の内部避難空間に造成される差圧によって外部の煙や火災、汚染された空気が空気排出管１３を介して逆流して入ってくることが基本的に封鎖されるので、避難者はさらに安全に保護されることができる。
【０２２８】
これに加え、前記空気排出管１３には、チェクバルブ４５が設置されることができ、これにより、避難室本体１０の内部の空気は、空気排出管１３を介して排出され、また、外部の空気、煙、有毒ガスなどが空気排出管１３を逆流して避難室本体１０の内部へ流入されることが基本的に封鎖されることができる。
【０２２９】
また、前記火災避難室は避難者が避難室本体１０の内部に入ってくるためにドア１１を開いたときに、外部の煙や熱気が避難室本体１０の内部へ流入されることを防いでくれる手段として空気強制排出用ファン１４を含んでいる。
【０２３０】
このような空気強制排出用ファン１４は、避難室本体１０の内部の裏側の壁に出入口、すなわちドア１１を正面に見て設置され、ドア１１の開き時にＯＮ作動されるとともに、ドアの閉じ時にＯＦＦ作動される。
【０２３１】
このため、前記避難室本体１０の出入口の一側には、公知のドア感知センサー（図示せず）が設置され、前記ドア感知センサーがドア１１の開きを検出すると、この時の検出信号はコントロールボックス１６に入力され、これと同時に、コントロールボックス１６の出力制御により空気強制排出用ファン１４が作動するので、すなわちドア１１をオープンするとともに、強力な風が避難室本体１０の内部の内側から外側に向かって強く吹くので、ドアの開き時に外部の煙や熱気が避難空間へ入ってくることを完全に遮断することができる。
【０２３２】
また、前記火災避難室は避難空間内の快適で安全な環境を造成してくれることができるいくつかの施設を含むことができる。
【０２３３】
一例として、前記避難室本体１０の内部の天井部には、ランプ１５が設置されることができ、この時のランプ１５はコントロールボックス１６側から電源の提供を受け、ＯＮ／ＯＦＦ作動される。
【０２３４】
もちろん、前記ランプ１５の場合、ドア１１のオープンとクローズ作動に連系してオンまたはオフすることができ、または避難室本体１０の内部に設置される別のスイッチ（図示せず）を操作してオンまたはオフすることができる。
【０２３５】
他の例としては、前記避難室本体１０の内部の一側には空気貯蔵筒（図示せず）や酸素ボンベ（図示せず）が配置されることができ、これにより、避難者の中に呼吸困難が来る人が便利に使用することができる。
【０２３６】
このように避難室本体１０の内部に空気貯蔵筒や酸素ボンベが配置される場合には、外部からの空気の供給がなくても避難者が空気貯蔵筒や酸素ボンベを用いて、一定時間の間に呼吸することができるので、火災避難室の設置構造をより簡素化することができる。
【０２３７】
例えば、前記避難室本体１０の空気流入管１２を遮断するとともに、空気排出管１２の端部には、最小限の空気排出のみが行われるように、ノズル（図示せず）や微細な孔（図示せず）だけ形成した構造で、火災避難室を製作することができ、これにより、避難者は外部からの空気の供給がなくても、空気貯蔵筒や酸素ボンベを用いて呼吸しながら、避難室本体１０内で救助を待つことができる。
【０２３８】
このときの前記空気排出管１２には、煙などが逆流して入ってくることを防止するためにチェクバルブ（図示せず）を設置することが望ましい。
【０２３９】
このような火災避難室の場合、空気供給のための配管測との接続作業などを排除することができるので、設置構造が非常に簡単で、なお、各世代での火災避難室を効率的かつ経済的に運用することができる。
【０２４０】
他の例としては、前記避難室本体１０の外部の一側には火災感知センサー（図示せず）を介して火災が感知されると、光と音を出力する警告灯（図示せず）が備えられており、これにより、避難者または救助要員が迅速に火災避難室を識別して避難することができたり、避難者を救助することができる。
【０２４１】
また、前記火災避難室は避難室本体１０の内部環境を快適かつ安全に維持させてくれる手段でエアコン２２を含んでいる。
【０２４２】
前記エアコン２２は、避難室本体１０の内部の裏側の壁に設置され、空気の流入及び排出設備の異常時または正常に作動している場合でも、避難室本体１０が加熱され、その内部の空気が熱くなると、エアコン２２を稼動させて避難空間内の空気を冷却させてくれることができる。
【０２４３】
このようなエアコン２２のＯＮ／ＯＦＦ作動は避難空間内の温度を感知する温度感知センサー（図示せず）の信号によるコントロールボックス１６の出力制御により行うなったり、または避難者による別のスイッチ（図示せず）の操作によって行うことができる。
【０２４４】
また、前記火災避難室は電源の供給はもちろん、各種機器の出力制御のための手段としてコントロールボックス１６を含んでいる。
【０２４５】
前記コントロールボックス１６は、自体的に電力を供給することができる充電器、電池などを備えており、避難室本体１０の内部の一側、例えば避難室本体１０の内部の裏側の壁に設置され、自体的に電源を提供するとともに、電気機器を制御する役割をする。
【０２４６】
例えば、前記コントロールボックス１６は、避難室本体１０に設置されている空気強制排出用ファン１４、ランプ１５、警告灯（図示せず）、エアコン２２などと電気的に接続されて、これらに電源を供給する役割をすることになり、また、ドア感知センサーや温度感知センサー、火災感知センサーなどから入力された信号をもとにして空気強制排出用ファン１４、ランプ１５、警告灯（図示せず時）、エアコン２２などの電気機器を出力制御する役割もできるようになり、また、空気流入管１２上の第１のソレノイドバルブ３３はもちろん、サブ空気流入管３２上の第２のソレノイドバルブ３４、酸素発生器３６、そして空気貯蔵タンク４０側の排出側に設置されるポンプ４１と第３のソレノイドイブバルブ４２を出力制御する役割もできる。
【０２４７】
また、前記火災避難室は火災避難室内へ有毒ガスの浸透を基本的に遮断して避難者の安全を保護することができる手段として、呼吸用空気供給装置３８ａを含んでいる。
【０２４８】
前記呼吸用空気供給装置３８ａは、空気流入管１２側へ流入される空気中の煙などの有毒ガスが検出されると、すぐに空気流入管１２を遮断すると同時に、避難室本体１０に自体的に完備されている空気貯蔵タンク４０の空気を避難室本体１０の内部へ提供する役割をする。
【０２４９】
このため、前記避難室本体１０の底体の内部空間、すなわち、内部パネル１７と外部パネル１８との間に造成される密閉された空間には、空気が満たされている空気貯蔵タンク４０が設置される。
【０２５０】
この時の空気貯蔵タンク４０は、床体の全面積にわたって形成されることができ、避難室本体１０に収容される人員と避難時間などを考慮した充分な量の空気を確保することができる容量を有することが望ましい。
【０２５１】
そして、前記空気貯蔵タンク４０の排出側から延長される配管上に第３のソレノイドバルブ４２が設置されると同時に、この時の配管は、ポンプ４１の吸入側に接続され、前記ポンプ４１の吐出側は内部パネル１７上の金網などの流入口側に接続されて、空気が避難室本体１０の内部へ供給されることができる。
【０２５２】
ここで、前記ポンプ４１は、コントロールボックス１６の出力制御により作動することができ、前記第３のソレノイドバルブ４２もコントロールボックス１６の出力制御を受けてＯＮ作動されたり、ＯＦＦ作動されることができ、前記配管は内部パネル１７と外部パネル１８との間の空間内に位置することができる。
【０２５３】
これにより、前記空気流入管１２側に設置されるセンサー３７の信号の入力を受けるコントロールボックス１６の出力制御により、第１のソレノイドバルブ３３がＯＦＦ作動されると同時に、第３のソレノイドバルブ４２がＯＮ作動され、これに加え、ポンプ４１が作動されながら空気貯蔵タンク４０に満たされている空気が避難室本体１０の内部へ供給されることができる。
【０２５４】
そして、前記呼吸用空気供給装置３８ｂのポンプ４１と第３のソレノイドバルブ４２は、避難室本体１０の壁の内部に造成される空間部３９に設置されることができる。
【０２５５】
例えば、前記避難室本体１０の裏側の壁をなす内部パネル１７と外部パネル１８との間の空間部３９内にポンプ４１と第３のソレノイドバルブ４２が設置され、この時のポンプ４１の排出側は内部パネル１７上の金網などの流入口側に接続されて酸素が避難室本体１０の内部へ供給されることができる。
【０２５６】
したがって、火災発生時に、空気流入管１２を介して入ってくる空気中に煙などの有毒ガスが含まれている場合に、これをセンサー３７が検出する。
【０２５７】
前記センサー３７の検出信号がコントロールボックス１６に入力されると、コントロールボックス１６の出力制御により、第１のソレノイドバルブ３３がＯＦＦ作動されながら閉じると同時に、第３のソレノイドバルブ４２がＯＮ作動されながら開かれ、これに加え、コントロールボックス１６の出力制御によりポンプ４１も作動を開始する。
【０２５８】
続いて、前記ポンプ４１の作動により、空気貯蔵タンク４０に貯蔵されている空気は、避難室本体１０の内部へ供給され、避難者が呼吸できる。
【０２５９】
このように、外部の有毒ガスの流入を完全に遮断するとともに、呼吸のための空気を供給することにより、避難者を有毒ガスの危険から保護し、最大限の安全性を確保することができる。
【０２６０】
つまり、避難室本体の底体をなす内部パネルと外部パネル１８の間の空間部に空気貯蔵タンクを設置するとともに、避難室本体の壁をなす内部パネルと外部パネル１８の間の空間部に第３のソレノイドバルブとポンプを設置して、このような空気貯蔵タンク、第３のソレノイドバルブ及びポンプを空間部の内で配管に相互に接続し、ポンプの吐出側は内部パネルに設置されている金網からなる流入口に接続して、空気貯蔵タンクに入っている空気を避難室本体へ供給することができる構造を採用することにより、呼吸用空気供給装置が火災発生時の火炎や落下物により被害を受ける問題を完全に排除することができ、したがって、火災発生時に避難室の周りに火炎が広がったり落下物が落ちる危険な状況に関係なく、呼吸用空気供給装置が正常に機能しながら外気遮断時にも呼吸のための空気を円滑に供給して避難者の安全を最大限に確保することができる効果がいる。
【０２６１】
このように、本発明では、建物の室内や地下室などに自由に設置して、火災発生時に建物の外部に避難していなかった人々が安全に避難できるとともに、避難空間へ入ってくる空気量と避難空間から出る空気量を適切に制御して避難空間内に常に一定の差圧が造成されるようにして、特に有毒ガスの発生時に、これを遮断するとともに、呼吸のための酸素を供給する新しい火災避難室を提供することにより、火災の危険から人命被害を最小限に抑えることができ、火災避難室空間の内部にリークが発生した場合でも、呼吸用空気を充分に確保でき、避難者の安全を最大限に確保することができる。
【符号の説明】
【０２６２】
１０：避難室本体
１１：ドア
１２：空気流入管
１３：空気排出管
１４：空気強制排出用ファン
１５：ランプ
１６：コントロールボックス
１７：内部パネル
１８：外部パネル
１９：防彈板
２０：車輪
２１：ストッパー
２２：エアコン
２３：開閉用ハンドル
２４：確認窓
２５：配管
２６：避難室
２７：帽子
２８：軸菅部
２９：壁遮熱部材
３０：シリカロープ
３１：ドア遮熱部材
３２：サブ空気流入管
３３：第１のソレノイドバルブ
３４：第２のソレノイドバルブ
３５：フィルタ装置
３６：酸素発生器
３７：センサー
３８ａ、３８ｂ：呼吸用空気供給装置
３９：空間部
４０：空気貯蔵タンク
４１：ポンプ
４２：第３のソレノイドバルブ
４３：吸気用ファン
４４：配管ティー
４５：チェクバルブ
【図１】
2021507802.tif 000003
【図２】
2021507802.tif 000004
【図３】
2021507802.tif 000005
【図４】
2021507802.tif 000006
【図５】
2021507802.tif 000007
【図６】
2021507802.tif 000008
【図７】
2021507802.tif 000009
【図８】
2021507802.tif 000010
【図９】
2021507802.tif 000011
【国際調査報告】
2021507802.tif 000012
2021507802.tif 000013
2021507802.tif 000014
2021507802.tif 000015
2021507802.tif 000016
2021507802.tif 000017